(57)【要約】【課題】ろうそく立てと台座間で吸着作用を働かせて、容易に倒れないろうそく立てであって、更にその機能は容易に持続・解除できる構造として提供すること。【解決手段】下部が開口、内部が空洞、胴体１１に水平方向と垂直方向に切れ込みを入れ逆Ｌ字形の開口部３を左右対称の位置に２箇所設け、上部は中心部にピン付きのろうそく受皿１０であり、底板８の貫通孔８ａにばね７ｂを真上から貫通させて、ピン４ｂに巻き付け鑞付けにて結合して、底板８とばね７とピン４ｂをろうそく立て筐体２の内部空洞内に入れ、ばね７ａを胴体開口部３から外に出し、シャフト６のシャフト貫通孔６ｃに貫通させてピン４ａに巻き付け鑞付けにて結合し、次にろうそく立て筐体２を胴体開口部３からシャフト６で貫通させて、それが抜け出ないようにシャフト６に左・右端シャフトストッパー５ａ・５ｂを取付けた構造とする。【選択図】      図１
2005078801.tif 000002
【特許請求の範囲】
【請求項１】
下部が開口、内部が空洞、胴体（１１）に水平方向と垂直方向に切れ込みを入れ逆Ｌ字形の開口部（３）を左右対称の位置に２箇所設け、上部は中心部にピン付きろうそく受皿（１０）を有する筐体（２）であって、その筐体（２）の横方向にシャフト（６）を貫通させて、シャフト（６）と底板（８）を連結部材を介して牽引し、台座（９）に係止することができる構造を特徴とするろうそく立て。
【請求項２】
連結部材がコイルばね（７）または連結棒（１４）であり、底板（８）がゴムまたは弾性プラスチックの吸盤であり、シャフト（６）に向かって底板（８）を牽引し、底板（８）と台座（９）との間に減圧部を介在させて筐体（２）を台座（９）に吸着して係止することができる請求項１記載のろうそく立て。
【発明の詳細な説明】
【０００１】
【発明の属する技術分野】
本発明は、灯火しているろうそく立てが簡単に倒れて火災が発生し、人命・個人の財産・寺院・国宝などに多大な損害を招くような大惨事にならないように、簡単に倒れないろうそく立てに関するものである。
【０００２】
【従来の技術】
従来、ろうそく立ては、安易に台座に置かれて使用され、それに当たると簡単に倒れるものであった。ろうそく立てに関しては、「特許第３１１１０２６号」に記載のろうそく立て・線香たて・供物台等を箱体に１個所にまとめ配置でき、更にお墓全体の景観を良くするもの。他には「特許第３１２４９４６号」・「第２７６９１４３号」などが提案されている。又、マグネットによるものが提案された。（例えば第２８９６６４０号）
【０００３】
【発明が解決しようとする課題】
ろうそく立ては、少しの弾みで簡単に倒れてしまい、気が付かなかったり、又は気付くのに遅れると消火に間に合わず、火は瞬く間に燃え広がり火災になってしまう。
【０００４】
火災になると、現在まで懸命に築き上げた個人の財産・国の財産・人命など有りとあらゆる物が瞬時に奪われてしまう。
【０００５】
本発明は、灯火しているろうそく立てが簡単に倒れて、火災になろうとする火種の発生を防止することを目的とするものである。
【０００６】
【課題を解決するための手段】
本発明は、上記目的を達成するために、下部が開口、内部が空洞、胴体に水平方向と垂直方向に切れ込みを入れ逆Ｌ字形の開口部を左右対称の位置に２箇所設け、垂直方向の孔はシャフトを貫通させスライドすることができ、水平方向のくぼみはシャフトを嵌め込み固定することができる筐体であって、上部は中心部にピン付きのろうそく受皿があり、そのろうそく受皿とろうそく立ての胴体は一体の筐体であり、底板の底面中心部分は少し凹状態で吸盤状になっており、底板の逆Ｔ字部は底板の底面の弾性体に埋め込まれ一体であり、底板の逆Ｔ字部貫通孔にばねの下部を真上から貫通させピンに巻き付け鑞付けにて結合し、底板とピンとばねをろうそく立て胴体の空洞内に入れ、ばねの上部を胴体開口部から外に出し、シャフトの貫通孔へ真下からばねの上部を貫通させピンに巻き付け鑞付けにて結合し、次に胴体開口部にシャフト左端・ピン・ばねのように差し込んで、反対側の胴体開口部まで貫通させて、シャフト自身が抜け出ないように、シャフトストッパーを取付けた構造とし、シャフトを上方に持ち上げ胴体開口部のくぼみに嵌め込むことにより、底板がシャフトの方向へ牽引され、底板の底面は弾性体である為にシャフトの方向へ伸ばされて、底板の弾性体にろうそく立て筐体が載っている部分は、真上からろうそく立て筐体に押さえられ台座に密着し、ろうそく立て底板の底面の凹部と台座からなる空間が更に拡大し減圧され、台座に吸着されてろうそく立てを倒れなくしたものである。
【０００７】
シャフトを胴体開口部のくぼみに嵌め込むことにより、吸着作用を容易に持続でき、そして前記くぼみからシャフトを外すと吸着作用を解除することができる。
【０００８】
【発明の実施の形態】
以下、本発明の実施の形態として一実施例を図１〜図８に基づいて説明する。
【０００９】
下部が開口、内部が空洞、胴体１１に水平方向と垂直方向に切れ込みを入れ逆Ｌ字形の開口部３を左右対称の位置に２箇所設け、垂直方向の孔１３はシャフトを貫通させスライドすることができ、水平方向のくぼみ１２にシャフトを嵌め込み固定することができる筐体２であって、上部は中心部にピン付きろうそく受け皿１０を有しており、胴体１１と上部ピン付きろうそく受け皿１０は一体の筐体２であり、シャフト６と底板８を連結部材を介して牽引し、台座９に係止することができる構造である。
【００１０】
連結部材がコイルばね７または連結棒１４であり、底板８がゴムまたは弾性プラスチックの吸盤であり、シャフト６に向かって底板８を牽引し、底板８と台座９との間に減圧部を介在させて筐体２を台座９に吸着して係止することができる。
【００１１】
ピン４ａはシャフト貫通孔６ｃを貫通したばね上部７ａを巻き付け鑞付けにて結合し、シャフトストッパー５ａ・５ｂは吸着状態でない本発明ろうそく立てのシャフト６が水平方向に抜け出るのを防止するストッパーの働きがあり、ばね７はシャフト６と底板８を牽引し、ピン４ｂは底板８の上部貫通孔８ａを貫通したばね下部７ｂを巻き付け鑞付けにて結合し、底板８の逆Ｔ字部８ｂはばね下部７ｂを貫通させる上部貫通孔８ａ（図７（ａ）上面図参照）とばね下部７ｂをピン４ｂに巻き付け鑞付けしたものを収める四角形孔８ｘ（図７（ｂ）正面図参照）がある。
【００１２】
底板８の横幅はろうそく立て筐体２の底辺の横幅より長く、ろうそく立て筐体２が底板８に載り、底板８の底面中心部分８ｙは少し凹状になっていて、本発明ろうそく立てを台座９の上に置くと台座９との間に僅かに隙間が生じて密閉空間になる。
【００１３】
逆Ｔ字部８ｂは弾性体８ｃに埋め込まれ一体であり、逆Ｔ字部８ｂはばね７から上方に牽引され、ろうそく立て筐体底面密着部分８ｄはろうそく立て筐体２が載り底板８の底面は押さえつけられ台座９に密着し、弾性体８ｃは引き伸ばされることにより前記密閉空間が拡大され減圧されて底板８の吸盤状の底面部は台座９に吸着する。
【００１４】
底板上部貫通孔８ａ（図７参照）にばね下部７ｂを真上から貫通させピン４ｂに巻き付け鑞付けにて結合し、底板８とピン４ｂとばね７をろうそく立て胴体１１の空洞内に入れ、ばね上部７ａを胴体開口部３から外に出し、シャフト貫通孔６ｃへ真下から貫通させピン４ａに巻き付け鑞付けにて結合し、次に胴体開口部３にシャフト左端６ｂ・ピン４ａ・ばね７ａのように差し込んで、反対側の胴体開口部３に飛び出させて、シャフト６自身が抜け出ないように、シャフトストッパー５ａ・５ｂを６ｂの箇所に５ｂ，６ａの箇所に５ａを取付けたのが本発明のろうそく立てとするものである。（図２参照）
【００１５】
本発明ろうそく立てを台座９の上に置いただけの場合は休止状態である。（図３・図４参照）
【００１６】
図３・図４において、片方の手でろうそく立て胴体１１を握り軽く台座９に押し当て、もう一方の手でシャフト６の両端を持ち垂直方向の孔１３を上方へスライドさせて、ろうそく立て胴体開口部３のくぼみ１２に嵌め込む。（図５・図６参照）
【００１７】
すると、逆Ｔ字部８ｂの材質はプラスチック・ポリエステル・ＦＲＰ又は金・銀・銅・鉄・真鍮・アルミ合金・ステンレス合金・炭素鋼・ニッケル合金、弾性体８ｃの材質は天然ゴム・合成ゴム・弾性プラスチック・ポリウレタン・ポリエステルの弾性体であり、弾性体８ｃはシャフト６を上方へ持ち上げられることでばね７から牽引され前記密閉空間が拡大され、底板８と台座間で吸着作用が働き、ろうそく立ては台座９に吸着して外れなくなる。（図５・図６参照）
【００１８】
シャフト６をくぼみ１２から外すと前記吸着作用が解除され、ろうそく立てを外すことができる。（図３・図４参照）
【００１９】
以上のことから、本発明のろうそく立て本体を安定した異物等がなく清掃された台座９に置き、片方の手でろうそく立て胴体１１を握り軽く台座９に押し当て、もう片方の手でシャフト６の両端を持ち上げ胴体開口部３のくぼみ１２に嵌め込み安定に固定させ、ろうそくを立ててから点火して使用する、又既にろうそくが立ててある時は、一度ろうそくを外し、前記同様に本発明ろうそく立てを固定させ、ろうそくを差し立ててから点火して使用することが最も安全な使用方法である。（図５・図６参照）
【００２０】
本発明ろうそく立てを構成する材質は、ろうそく立て筐体２は陶磁器・瓦・ガラス・白鑞・金・銀・銅・鉄・錬鉄・鋳銅・ブリキ・真鍮・ステンレス鋼・ステンレス合金・アルミ合金・亜鉛合金ダイカスト１種・亜鉛合金ダイカスト２種・精陶器・青銅・アルミ精銅・リン青銅・ポリエステル・ＦＲＰ、ピン４は金・銀・銅・鉄・真鍮・ステンレス合金・アルミ合金、シャフトストッパー５は天然ゴム・合成ゴム・弾性プラスチック・プラスチック、シャフト６は金・銀・銅・鉄・真鍮・ステンレス合金・アルミ合金、ばね７は銅・鉄・鋼・炭素鋼・合金鋼・銅合金・ニッケル合金、逆Ｔ字部８ｂはプラスチック・ポリエステル・ＦＲＰ又は金・銀・銅・鉄・真鍮・アルミ合金・ステンレス合金・炭素鋼・ニッケル合金、弾性体８ｃは天然ゴム・合成ゴム・弾性プラスチック・ポリウレタン・ポリエステル、又、図８において、ばね７に換わって棒状の金属またはプラスチック・硬質ゴムでもよい、棒状の金属の材質はばね７と同様である。
【００２１】
【発明の効果】
火災の一要因である灯火しているろうそく立てが倒れて火種になるのは、第１に自己の不注意によるもの。第２に第３者の不注意によるもの、この第３者によるものの中には好奇心旺盛な注意力低下の子供・遅鈍な老人・痴呆・アルツハイマー・寝たきりの人・身障者又はその身障者が火災に気づきながら障害により消火に間に合わない場面。第３に室内ぺットや鼠などによるもの、第４に地震や振動によるものがあり、第２・第３・第４は、本人の注意だけでは防止できない火災であり、以上、さまざまな原因で、もし消火に遅れると大惨事に至ってしまう。
【００２２】
本発明は、灯火しているろうそく立てが倒れることにより発生する火災を防止することに大いに効果を奏する。このことにより人命・個人の財産・寺院・国宝を火災から守ることができる。
【図面の簡単な説明】
【図１】本発明ろうそく立ての使用状態を示す正面図である。
【図２】本発明ろうそく立てを示す分解図である。
【図３】本発明ろうそく立ての休止状態を示す側面図である。
【図４】図３のＡ−Ａにおける断面図である。
【図５】本発明ろうそく立ての稼動状態を示す側面図である。
【図６】図５のＢ−Ｂにおける断面図である。
【図７】（ａ）は底板の上面図、（ｂ）は正面図、（ｃ）は側面図である。
【図８】図５におけるばねに換わって棒状の金属又はプラスチック・硬質ゴムを使用したＢ−Ｂにおける断面図の一実施例である。
【符号の説明】
１ろうそく
２筐体
３開口部
４ａピン
４ｂピン
５ａ右端シャフトストッパー
５ｂ左端シャフトストッパー
６シャフト
６ａシャフト右端
６ｂシャフト左端
６ｃ貫通孔
７ばね
７ａばね上部
７ｂばね下部
８底板
８ａ貫通孔
８ｂ逆Ｔ字部
８ｃ弾性体
８ｄろうそく立て筐体底面密着部分
８ｘばね下部７ｂとピン４ｂが収まる孔
８ｙ底面中心凹部
９台座
１０ピン付きろうそく受皿
１１胴体
１２くぼみ
１３垂直方向の孔
１４棒状の金属又はプラスチック
【図１】
2005078801.tif 000003
【図２】
2005078801.tif 000004
【図３】
2005078801.tif 000005
【図４】
2005078801.tif 000006
【図５】
2005078801.tif 000007
【図６】
2005078801.tif 000008
【図７】
2005078801.tif 000009
【図８】
2005078801.tif 000010